(57)【要約】【課題】対向する一対の第１側面板に連設されているフラップにテーパを形成し、更にフラップの該テーパが形成されている部分を、対向する一対の第２側面板の内部間隙に折り込んで前記第２側面板の係止穴から突出させる構成とすることにより、前記第１側面板を底面板に対し外側に傾かせ、収納物の収納又は取り出しを容易に行うことができる組立式梱包箱及び組立式梱包箱用厚紙を提供する。【解決手段】第１側面板３，４に連設されているフラップ１５，１７の一側辺に先端に向けて広くなるテーパを形成し、また、第２側面板に係止穴１３ｃを開設させ、前記フラップ１５，１７のテーパ頂部を前記係止穴１３ｃに挿入し突出させることにより前記フラップ１５，１７を前記係止穴１３ｃに係止させ、前記第１側面板３及び上蓋５並びに前記第１側面板４及び中蓋１０を底面板１に対し外側に傾斜させる構成とした。【選択図】図６
2008024321.tif 000002
【特許請求の範囲】
【請求項１】
四角形の底面板と、該底面板に連設されている一対の第１側面板と、該第１側面板の側辺に連設されている四角形のフラップと、前記底面板に連設されており、連設方向中央部に折り線を有する一対の第２側面板とを備え、前記第１側面板及びフラップを立ち上げ、前記第２側面板を立ち上げ且つ折り線を境界として内側に折り曲げると共に、折り曲げた前記第２側面板の内部間隙に前記フラップを折り込んで組み立てる組立式梱包箱において、
前記第２側面板の連設方向中央部に係止穴が開設されており、前記フラップの一側辺には前記フラップの先端に向けて広くなるテーパが形成されており、前記フラップを前記第２側面板の内部間隙に折り込んだ場合に前記フラップのテーパが形成されている部分の一部が前記係止穴に挿入されて上側に突出して係止され、前記第１側面板が前記底面板に対し外側に傾くようにしてあることを特徴とする組立式梱包箱。
【請求項２】
四角形の底面板と、該底面板に連設されている一対の第１側面板と、該第１側面板の側辺に連設されている四角形のフラップと、前記第１側面板の端辺に連設されている一対の蓋板と、前記底面板に連設されており、連設方向中央部に折り線を有する一対の第２側面板とを備える組立式梱包箱用厚紙において、
前記蓋板に近い側の前記フラップの側辺には前記フラップの先端に向けて広くなるテーパが形成されており、前記第２側面板の連設方向中央部に前記フラップの一部が挿入されて突出し係止されるべき係止穴が開設されていることを特徴とする組立式梱包箱用厚紙。
【発明の詳細な説明】
【技術分野】
【０００１】
本発明は収納物の収納及び取り出しを容易にし、また、組立作業を効率よく行うことができる組立式梱包箱及び該組立式梱包箱を形成する厚紙に関する。
【背景技術】
【０００２】
図７は収納物を収納するか又は取り出すときの従来の組立式段ボール紙製梱包箱の略示斜視図である。組立式段ボール紙製梱包箱は矩形の上面板３１を備えており、収納物の包装の印刷表示を見せるために前記上面板３１の中央は開口している。
【０００３】
上面板３１の２つの長辺には矩形の長側面板３２、３３がそれぞれ連設されており、長側面板３２、３３の端辺には折り線を介して矩形の底面板３４、３５がそれぞれ連設されている。
【０００４】
上面板３１の２つの短辺には矩形の短側面板３６、３７が折り線を介してそれぞれ連設されており、短側面板３６、３７の連設方向中央部には折り線と共に矩形の係合穴３６ａ、３７ａがそれぞれ開設されている。
【０００５】
長側面板３２の側辺には矩形のフラップ３８、４０が折り線を介してそれぞれ連設され、長側面板３３の側辺には矩形のフラップ３９、４１が折り線を介してそれぞれ連設されている。フラップ３８、３９は先端隅部に矩形の突起部３８ａ、３９ａをそれぞれ備え、突起部３８ａ及び３９ａは係合穴３６ａに係合している。フラップ４０、４１は先端隅部に矩形の突起部４０ａ、４１ａをそれぞれ備え、突起部４０ａ及び４１ａは係合穴３７ａに係合している。
【０００６】
このような組立式段ボール紙製梱包箱は平面展開状態の段ボール紙から組み立てられる。次に組立式段ボール紙製梱包箱の組立工程について説明する。まず折り線を上にして段ボール紙を平置きにする。底面側から収納物を収納するので上面板３１が下になるように、長側面板３２及び底面板３４並びに長側面板３３及び底面板３５を上面板３１の長辺にてそれぞれ立ち上げる。このときフラップ３８乃至４１を、折り線を境界にして内側に折り曲げて置く。
【０００７】
短側面板３６を立ち上げ且つ折り線を境界として内側に折り曲げると共に、内側に折り曲げたフラップ３８及び３９を短側面板３６の内部間隙に折り込み、突起部３８ａ及び３９ａを係合穴３６ａに係合させる。同様に短側面板３７を立ち上げ且つ折り線を境界として内側に折り曲げると共に、内側に折り曲げたフラップ４０及び４１を短側面板３７の内部間隙に折り込み、突起部４０ａ及び４１ａを係合穴３７ａに係合させる。これによりフラップ３８乃至４１が上面板３１に固定される。
【０００８】
フラップ３８乃至４１は上面板３１に固定されるので、長側面板３２及び底面板３４並びに長側面板３３及び底面板３５は上面板３１に対し略垂直に立ち上がり、この状態で収納物を収納するか又は取りだす。次に底面板３４及び３５を、折り線を境界として内側に折り曲げて箱を閉じ、粘着テープで封をする。そして、箱を反転させて上面板３１の開口から収納物の包装の印刷表示が見えるようにする。
【０００９】
このようにして突起部３８ａ及び３９ａを係合穴３６ａに係合させ、突起部４０ａ及び４１ａを係合穴３７ａに係合させて、短側面板３６及び３７並びにフラップ３８乃至４１を上面板３１に固定して組立式段ボール紙製梱包箱を組み立てることで、組み立てに必要な止め具の数を減らすことができる（特許文献１参照）。
【特許文献１】特開２００３−１２８０５３号公報
【発明の開示】
【発明が解決しようとする課題】
【００１０】
特許文献１に記載の組立式段ボール紙製梱包箱にあっては、収納物の収納又は取り出しを行う場合に、長側面板３２及び底面板３４並びに長側面板３３及び底面板３５は上面板３１に対し略垂直に立ち上がっている。したがって収納物の収納又は取り出しを行う場合に、長側面板３２及び底面板３４並びに長側面板３３及び底面板３５が手又は腕に当たり易く収納物の収納又は取り出しを行い難いという問題があった。
【００１１】
また、フラップ３８乃至４１は折り曲げに対する復元力によって短側面板３６及び短側面板３７から離隔する方向に移動するので、フラップ３８乃至４１を指で押え続けて短側面板３６及び短側面板３７に折り込んでいた。フラップ３８乃至４１を指で押え続けることは組立式段ボール紙製梱包箱の組立作業を難しくしており、組立式段ボール紙製梱包箱を効率よく組み立てることができなかった。
【００１２】
本発明は斯かる事情に鑑みてなされたものであり、一方の対向する側面板に係止穴を開設し、他方の対向する側面板に連設されているフラップにテーパを形成して、フラップのテーパが形成されている部分の一部を前記係止穴から突出させる構成とすることにより、前記他方の対向する側面板を底面板に対し外側に傾かせ、収納物の収納又は取り出しを容易に行うことができ、また前記フラップの折り曲げに対する復元力が生じても前記フラップが前記一方の対向する側面板から離隔する方向に移動しないようにし、効率よく組み立てることができる組立式梱包箱及び組立式梱包箱用厚紙を提供することを目的とする。
【課題を解決するための手段】
【００１３】
本発明に係る組立式梱包箱は、四角形の底面板と、該底面板に連設されている一対の第１側面板と、該第１側面板の側辺に連設されている四角形のフラップと、前記底面板に連設されており、連設方向中央部に折り線を有する一対の第２側面板とを備え、前記第１側面板及びフラップを立ち上げ、前記第２側面板を立ち上げ且つ折り線を境界として内側に折り曲げると共に、折り曲げた前記第２側面板の内部間隙に前記フラップを折り込んで組み立てる組立式梱包箱において、前記第２側面板の連設方向中央部に係止穴が開設されており、前記フラップの一側辺には前記フラップの先端に向けて広くなるテーパが形成されており、前記フラップを前記第２側面板の内部間隙に折り込んだ場合に前記フラップのテーパが形成されている部分の一部が前記係止穴に挿入されて上側に突出して係止され、前記第１側面板が前記底面板に対し外側に傾くようにしてあることを特徴とする。
【００１４】
また本発明に係る組立式梱包箱用厚紙は、四角形の底面板と、該底面板に連設されている一対の第１側面板と、該第１側面板の側辺に連設されている四角形のフラップと、前記第１側面板の端辺に連設されている一対の蓋板と、前記底面板に連設されており、連設方向中央部に折り線を有する一対の第２側面板とを備える組立式梱包箱用厚紙において、前記蓋板に近い側の前記フラップの側辺には前記フラップの先端に向けて広くなるテーパが形成されており、前記第２側面板の連設方向中央部に前記フラップの一部が挿入されて突出し係止されるべき係止穴が開設されていることを特徴とする。
【００１５】
本発明においては、前記第２側面板の連設方向中央部に係止穴を開設し、前記フラップの一側辺には前記フラップの端辺に向けて広くなるテーパを形成して、前記フラップを前記第２側面板の内部間隙に折り込んだ場合に前記フラップのテーパが形成されている部分の一部を前記係止穴に挿入し上側に突出させる。これにより前記フラップを前記底面板から上側に離間させた状態に置き、前記フラップを前記第２側面板に折り込んだ場合に前記第１側面板を前記底面板に対し外側に傾かせる。
【００１６】
また、前記第２側面板に係止穴を開設し、前記フラップを前記第２側面板の内部間隙に折り込んだ場合に、前記フラップのテーパが形成されている部分の一部を前記係止穴から突出させて係止させることにより、前記フラップが前記第２側面板から離隔する方向に移動することを防ぎ、梱包箱を組み立てるときに前記フラップを指で押え続ける必要がなくなる。
【発明の効果】
【００１７】
本発明に係る組立式梱包箱においては、前記第２側面板の連設方向中央部に係止穴を開設し、前記フラップの一側辺には前記フラップの端辺に向けて広くなるテーパを形成して、前記フラップを前記第２側面板の内部間隙に折り込んだ場合に前記フラップのテーパが形成されている部分の一部を前記係止穴に挿入し上側に突出させることを可能にする。これにより前記フラップを前記底面板から上側に離間させた状態に置き、前記フラップを前記第２側面板に折り込んだ場合に前記第１側面板を前記底面板に対し外側に傾かせるので、収納物の収納又は取り出しを行うときに手又は腕が第１側面板に当たり難くなり、収納物の収納及び取り出しを容易に行うことができる。
【００１８】
また、前記第２側面板に係止穴を開設し、前記フラップを前記第２側面板の内部間隙に折り込んだ場合に、前記フラップのテーパが形成されている部分の一部を前記係止穴から突出させて係止させることにより、前記フラップが前記第２側面板から離隔する方向に移動することを防ぎ、梱包箱を組み立てるときに前記フラップを指で押え続ける必要がなくなるので、組立式梱包箱を効率よく組み立てることができる。
【発明を実施するための最良の形態】
【００１９】
以下、本発明に係る組立式梱包箱及び組立式梱包箱用厚紙を実施の形態を示す図面に基づいて詳述する。図１は本発明に係る組立式梱包箱用厚紙の略示平面図、図２は組立式梱包箱用厚紙のフラップの略示拡大図である。
【００２０】
図において１は矩形の底面板であり、底面板１の２つの短辺中央にはスリット状の係合孔２ａ、２ｂが短辺に沿ってそれぞれ開設されている。底面板１の２つの長辺には折り線１ａ、１ｃを介して、底面板１の長手方向と同じ方向を長手方向とする矩形の第１側面板３、４がそれぞれ連設されている。
【００２１】
第１側面板３の端辺には折り線３ａを介して底面板１の寸法と略同寸の上蓋５が連設されている。上蓋５の端辺には、該端辺中央に長手方向に適宜の幅を有して矩形状の第１蓋閉片６が折り線５ａを介して連設されている。第１蓋閉片６には、折り線５ａに沿って適当な幅のスリット状の第２挿通孔７が開設されており、後述する第２蓋閉片９が第２挿込孔７に挿通する構成となっている。また上蓋５の端辺中央には半円形状の指掛切欠８が設けられている。
【００２２】
第１側面板４の端辺には、折り線４ａを介して底面板１の寸法と略同寸の中蓋１０が連設されている。第１側面板４の長手方向中央付近から中蓋１０に向けて、第１側面板４及び中蓋１０に跨ってコの字状の切込が設けられており、該切込の内側は第２蓋閉片９となっている。第２蓋閉片９の基端には、第１側面板４の長手方向に平行な折り線９ｂが設けられており、折り線９ｂにて第２蓋閉片９は第１側面板４の外側に折り曲げ可能な構成となっている。第２蓋閉片９の中央付近には第１側面板４の長手方向に平行な折り線９ａが設けられており、第２蓋閉片９は前記第２挿通孔７に挿通する構成となっている。
【００２３】
中蓋１０には折り線４ａに沿って、適当な幅のスリット状の第１挿通孔１１が第２蓋閉片９を挟んで開設されており、前記折り線９ｂにて前記第２蓋閉片９を第１側面板４の外側に折り曲げた場合に第１蓋閉片６が第１挿通孔１１に挿通する構成となっている。
【００２４】
底面板１の２つの短辺には折り線１ｂ、１ｄを介して、底面板１の長手方向に垂直な方向に長い矩形状の第２側面板１２、１３がそれぞれ連設されている。
【００２５】
第２側面板１２、１３の底面板１に隣接している側の略半分は、矩形状の外壁部１２ａ、１３ａになっている。外壁部１２ａ、１３ａには、長手方向に垂直な方向であって、底面板１から離隔する方向に、折り線１２ｆ、１３ｆを介して、細長い矩形状の境界部１２ｂ、１３ｂがそれぞれ連設されている。境界部１２ｂ、１３ｂには、長手方向に垂直な方向であって、底面板１から離隔する方向に、折り線１２ｇ、１３ｇを介して外壁部１２ａ、１３ａの寸法と略同寸の矩形状の内壁部１２ｄ、１３ｄがそれぞれ連設されている。
【００２６】
第２側面板１２、１３の端辺の長手方向中央には、長手方向の幅が広く長手方向に垂直な方向に突出している係合片部１２ｅ、１３ｅがそれぞれ一体に設けられており、係合片部１２ｅ、１３ｅは、前記係合孔２ａ、２ｂにそれぞれ係合する構成となっている。第２側面板１２、１３の中央付近には外壁部１２ａ、１３ａ、境界部１２ｂ、１３ｂ及び内壁部１２ｄ、１３ｄに跨る長手方向に長い矩形状の係止穴１２ｃ、１３ｃがそれぞれ開設されている。
【００２７】
第１側面板３の２つの側辺には折り線３ｂ、３ｃを介して、先端に向けて拡幅された台形状のフラップ１４、１５がそれぞれ連設されている。フラップ１４、１５の一側辺には、第１側面板３の側辺中央で上蓋５寄りから前記フラップ１４、１５の先端に向けて広くなるテーパが形成されており、フラップ１４、１５の他側辺は、第２側面板１２，１３に近接しており第１側面板３の側辺に垂直な直線の辺となっている。フラップ１４、１５の端辺は、フラップ１４、１５の両側辺の端に連なっており第１側面板３の側辺に平行な直線の辺となっている。
【００２８】
第１側面板４の２つの側辺には折り線４ｂ、４ｃを介して、先端に向けて拡幅された台形状のフラップ１６、１７がそれぞれ連設されている。フラップ１６、１７の一側辺には、第１側面板４の側辺中央で中蓋１０寄りからフラップ１６、１７の先端に向けて広くなるテーパが形成されており、フラップ１６、１７の他側辺は、第２側面板１２，１３に近接しており第１側面板４の側辺に垂直な直線の辺となっている。フラップ１６、１７の端辺は、フラップ１６、１７の両側辺の端に連なっており第１側面板４の側辺に平行な直線の辺となっている。
【００２９】
次に本発明に係る組立式梱包箱の組立工程について説明する。図３及び図４は本発明に係る組立式梱包箱の組立工程を示す説明図、図５は図３（ｃ）におけるＶ―Ｖ線による組立式梱包箱の略示断面図、図６は図４（ｄ）における組立式梱包箱の略示拡大側面図である。
【００３０】
まず組立式梱包箱用厚紙を平置きにし、上蓋５及び第１側面板３を折り線１ａを境界として上方に立ち上げ、中蓋１０及び第１側面板４を折り線１ｃを境界として上方に立ち上げる（図３（ａ）参照）。そしてフラップ１４、１６を折り線３ｂ、４ｂを境界としてそれぞれ内側に折り曲げ、フラップ１５、１７を折り線３ｃ、４ｃを境界としてそれぞれ内側に折り曲げる（図３（ｂ）参照）。
【００３１】
次に、第２側面板１２を、折り線１ｂを境界として立ち上げ、折り線１２ｆを境界として、境界部１２ｂ及び内壁部１２ｄを外壁部１２ａと略垂直となるように内側に折り曲げる（図３（ｃ）参照）。このとき、フラップ１４及び１６を指で押えて、フラップ１４及び１６のテーパ頂部を係止穴１２ｃから突出させ、フラップ１４及び１６を係止穴１２ｃに係止させる（図５参照）。また第２側面板１３を折り線１ｄを境界として立ち上げ、折り線１３ｆを境界として、境界部１３ｂ及び内壁部１３ｄを外壁部１３ａと略垂直となるように内側に折り曲げる（図３（ｃ）参照）。このとき、フラップ１５及び１７を指で押えて、フラップ１５及び１７のテーパ頂部を係止穴１３ｃから突出させ、フラップ１５及び１７を係止穴１３ｃに係止させる（図５参照）。なお、図５においては係合孔２ａ，２ｂを省略している。
【００３２】
次に内壁部１２ｄを、折り線１２ｇを境界として内側に折り曲げ、フラップ１４及び１６を外壁部１２ａ及び内壁部１２ｄの内部間隙に折り込み、係合片部１２ｅを係合孔２ａに係合させる。また、内壁部１３ｄを、折り線１３ｇを境界として内側に折り曲げ、フラップ１５及び１７を外壁部１３ａ及び内壁部１３ｄの内部間隙に折り込み、係合片部１３ｅを係合孔２ｂに係合させる（図４（ｄ）参照）。
【００３３】
このときフラップ１４乃至１７は底面板１から離間した状態にあることから、第１側面板３及び上蓋５並びに第１側面板４及び中蓋１０は底面板１に対し外側に少し倒れた状態であり（図６参照）この状態で内部に収納物を収納するか又は内部から収納物を取りだす。
【００３４】
そして折り線４ａを境界にして中蓋１０を内側に折り曲げ、折り線９ｂを境界にして第２蓋閉片９を第１側面板４の外側に折り曲げ（図４（ｅ）参照）、折り線３ａを境界にして上蓋５を内側に折り曲げる。そして、折り線５ａを境界にして第１蓋閉片６を折り曲げて第１挿通孔１１に挿通させ、折り線９ａを境界にして第２蓋閉片９を折り曲げて第２挿通孔７に挿通させ、箱を閉じる（図４（ｆ）参照）。
【００３５】
前記第２側面板１２、１３に係止穴１２ｃ、１３ｃをそれぞれ開設し、前記フラップ１４、１５の一側辺に、第１側面板３の側辺中央で上蓋５寄りから前記フラップ１４、１５の先端に向けて広くなるテーパを形成し、前記フラップ１６、１７の一側辺には、第１側面板４の側辺中央で中蓋１０寄りから前記フラップ１６、１７の先端に向けて広くなるテーパを形成する。これにより前記フラップ１４乃至１７を前記第２側面板１２及び１３に折り込んだ場合に、前記フラップ１４乃至１７のテーパ頂部を前記係止穴１２ｃ、１３ｃに挿入し上側に突出させ、前記フラップ１４乃至１７を前記底面板１から離間させた状態に置き、前記第１側面板３及び上蓋５並びに前記第１側面板４及び中蓋１０を底面板１に対し外側に傾かせる。
【００３６】
また、前記第２側面板１２、１３に係止穴１２ｃ、１３ｃをそれぞれ開設し、前記フラップ１４乃至１７のテーパ頂部を前記係止穴１２ｃ、１３ｃから突出させることにより、組立途中に前記第２側面板１２、１３と前記フラップ１４乃至１７とを係止させ、折り曲げによる復元力の作用で前記フラップ１４乃至１７が前記第２側面板１２、１３から離隔する方向に移動することを防ぐ。
【００３７】
前記フラップ１４、１５の一側辺に、第１側面板３の側辺中央で上蓋５寄りから前記フラップ１４、１５の先端に向けて広くなるテーパを形成し、前記フラップ１６、１７の一側辺には、第１側面板４の側辺中央で中蓋１０寄りから前記フラップ１６、１７の先端に向けて広くなるテーパを形成する。これにより前記フラップ１４乃至１７を前記第２側面板１２及び１３に折り込んだ場合に、前記フラップ１４乃至１７のテーパ頂部を前記係止穴１２ｃ、１３ｃに挿入し上側に突出させ、前記フラップ１４乃至１７を前記底面板１から離間させた状態に置き、前記第１側面板３及び上蓋５並びに前記第１側面板４及び中蓋１０を底面板１に対し外側に傾かせているので、収納物を収納するか又は取り出すときに手又は腕が前記第１側面板３及び上蓋５並びに前記第１側面板４及び中蓋１０に当たり難くなり、収納物の収納及び取り出しを容易に行うことができる。
【００３８】
また前記第２側面板１２、１３に係止穴１２ｃ、１３ｃを開設し、前記フラップ１４乃至１７のテーパ頂部を前記係止穴１２ｃ、１３ｃから突出させることにより、組立途中に前記第２側面板１２、１３と前記フラップ１４乃至１７とを係止させ、折り曲げによる復元力の作用で前記フラップ１４乃至１７が前記第２側面板１２、１３から離隔する方向に移動することを防いでいる。したがって、箱を組み立てているときに前記フラップ１４乃至１７を指で押え続ける必要がなくなり、組立式梱包箱を効率よく組み立てることができる。
【００３９】
なお、実施の形態に係る組立式梱包箱においてはフラップ１４乃至１７の一側辺の全体にテーパを形成しているが、フラップ１４乃至１７の一側辺の一部にテーパを形成し係止穴１２ｃ及び１３ｃにフラップ１４乃至１７の一部が係止する構成としても良い。また実施の形態に係る組立式梱包箱は、段ボール紙等からなる組立式梱包箱用厚紙を組み立てて構成されている。
【図面の簡単な説明】
【００４０】
【図１】本発明に係る組立式梱包箱用厚紙の略示平面図である。
【図２】本発明に係る組立式梱包箱用厚紙のフラップの略示拡大図である。
【図３】本発明に係る組立式梱包箱の組立工程を示す説明図である。
【図４】本発明に係る組立式梱包箱の組立工程を示す説明図である。
【図５】図３（ｃ）におけるＶ―Ｖ線による組立式梱包箱の略示断面図である。
【図６】図４（ｄ）における組立式梱包箱の略示拡大側面図である。
【図７】従来の組立式段ボール紙製梱包箱の略示斜視図である。
【符号の説明】
【００４１】
１  底面板
２ａ、２ｂ  係合孔
３、４  第１側面板
５  上蓋（蓋板）
６  第１蓋閉片
７  第２挿通孔
８  指掛切欠
９  第２蓋閉片
１０  中蓋（蓋板）
１１  第１挿通孔
１２，１３  第２側面板
１２ａ，１３ａ  外壁部
１２ｂ、１３ｂ  境界部
１２ｃ、１３ｃ  係止穴
１２ｄ、１３ｄ  内壁部
１２ｅ、１３ｅ  係合片部
１４，１５，１６，１７  フラップ
【図１】
2008024321.tif 000003
【図２】
2008024321.tif 000004
【図３】
2008024321.tif 000005
【図４】
2008024321.tif 000006
【図５】
2008024321.tif 000007
【図６】
2008024321.tif 000008
【図７】
2008024321.tif 000009